(57)【要約】  ＩＰｖ６アドレス取得装置、方法、及びシステムについて説明する。当該装置は、要求モジュール１０１、割当モジュール１０２を備え、要求モジュール１０１は、ＩＰｖ６アドレスの割当要求を割当モジュール１０２に送信し、割当モジュール１０２から返却された、ＩＰｖ６アドレスの割当応答から割り当てられたＩＰｖ６アドレスを取得するために使用される。割当モジュール１０２は、ＩＰｖ６アドレスを割り当てるとともに、ＩＰｖ６アドレスの割当応答に当該ＩＰｖ６アドレスを含めて、ＩＰｖ６アドレスの割当応答を要求モジュール１０１に返却するために使用される。システムは、ユーザ端末とＩＰｖ６アドレス管理装置とを備えている。当該装置、方法、及びシステムは、ＩＰｖ６アドレスの一意性を保証しながら、使用されているＩＰｖ６アドレスのセキュリティを改善する。
2009529257.tif 000002
【特許請求の範囲】
【請求項１】
要求モジュールと割当モジュールとを備えたインターネットプロトコルバージョン６（ＩＰｖ６）アドレス取得装置であって、
上記要求モジュールは、ＩＰｖ６アドレスの割当要求を上記割当モジュールに送信するとともに、当該割当モジュールから返却されたＩＰｖ６アドレスの割当応答から、割り当てられたＩＰｖ６アドレスを取得し、
上記割当モジュールは、上記ＩＰｖ６アドレスの割当要求に従って上記ＩＰｖ６アドレスを割り当てるともに、上記割り当てられたＩＰｖ６アドレスを、上記要求モジュールに返却するための上記ＩＰｖ６アドレスの割当応答に含めて搬送させることを特徴するＩＰｖ６アドレス取得装置。
【請求項２】
上記要求モジュールがユーザ端末に設けられ、上記割当モジュールがブロードバンドリモートアクセスサーバ（ＢＲＡＳ）またはネットワークサーバに設けられていることを特徴とする請求項１に記載のＩＰｖ６アドレス取得装置。
【請求項３】
上記ネットワークサーバは、リモート認証ダイヤルインサービス（ＲＡＤＩＵＳ）サーバ、ターミナルアクセスコントローラアクセスコントロールシステム（ＴＡＣＡＣＳ）サーバ、またはダイナミックホスト設定プロトコル（ＤＨＣＰ）サーバであることを特徴とする請求項２に記載のＩＰｖ６アドレス取得装置。
【請求項４】
上記ユーザ端末は、近隣探索プロトコル（ＮＤＰ）ユーザ端末、ポイントツーポイントプロトコル（ＰＰＰ）ユーザ端末、ダイナミックホスト設定プロトコル（ＤＨＣＰ）ユーザ端末、拡張認証プロトコル（ＥＡＰ）ユーザ端末、またはレイヤー２トンネリングプロトコル（Ｌ２ＴＰ）ユーザ端末であることを特徴とする請求項２に記載のＩＰｖ６アドレス取得装置。
【請求項５】
インターネットプロトコルバージョン６（ＩＰｖ６）アドレスを取得する方法であって、
ユーザ端末が、ＩＰｖ６アドレスの割当要求をＩＰｖ６アドレス管理装置に送信する工程と、
上記ＩＰｖ６アドレス管理装置が、上記ユーザ端末のためのＩＰｖ６アドレスを割り当てる工程と、
上記ＩＰｖ６アドレス管理装置が、割り当てられた上記ＩＰｖ６アドレスを含んでいるＩＰｖ６アドレスの割当応答を上記ユーザ端末に返却する工程と、を含んでいることを特徴とする方法。
【請求項６】
上記ＩＰｖ６アドレスはＩＰｖ６プレフィックスであって、
上記ＩＰｖ６アドレス管理装置が上記ユーザ端末のためのＩＰｖ６アドレスを割り当てる工程は、
上記ＩＰｖ６アドレス管理装置が、あらかじめ、上記ＩＰｖ６プレフィックスの属性情報をインターフェース、またはインターネットサービスプロバイダ（ＩＳＰ）のドメインに設定する工程と、
上記ＩＰｖ６アドレス管理装置が、上記ＩＰｖ６アドレスの割当要求を受信した後に、上記ユーザ端末が属する上記インターフェース、またはＩＳＰのドメインを識別する工程と、
上記ＩＰｖ６アドレス管理装置が、当該ＩＰｖ６アドレス管理装置自身によって上記インターフェース、またはＩＳＰのドメインに設定された、上記ＩＰｖ６プレフィックスの上記属性情報を取得する工程と、を含んでいることを特徴とする請求項５に記載のＩＰｖ６アドレスを取得する方法。
【請求項７】
上記ＩＰｖ６アドレス管理装置は、さらに、当該ＩＰｖ６アドレス管理装置自身によって上記インターフェース、またはＩＳＰのドメインに設定された上記ＩＰｖ６プレフィックスを更新する工程と、
上記ＩＰｖ６アドレス管理装置が、上記更新された上記ＩＰｖ６プレフィックスを上記インターフェース、またはＩＳＰのドメインに属するユーザ端末に送信する工程と、を含んでいることを特徴とする請求項６に記載のＩＰｖ６アドレスを取得する方法。
【請求項８】
上記ＩＰｖ６アドレスは、ＩＰｖ６インターフェースＩＤであって、
上記ＩＰｖ６アドレス管理装置が上記ユーザ端末のためのＩＰｖ６アドレスを割り当てる工程は、
上記ＩＰｖ６アドレス管理装置が、上記ユーザ端末が属するインターフェース、またはＩＳＰのドメインに基づいて、上記ユーザ端末のＩＰｖ６インターフェースＩＤを選択する工程、及び、上記ＩＰｖ６アドレス管理装置が、乱数、もしくは上記ユーザ端末のメディアアクセスコントロール（ＭＡＣ）アドレスを用いてＩＰｖ６インターフェースＩＤを生成する工程のいずれかを含んでいることを特徴とする請求項５に記載のＩＰｖ６アドレスを取得する方法。
【請求項９】
上記ユーザ端末はＮＤＰユーザ端末であって、
上記ＮＤＰユーザ端末が、ＩＰｖ６プレフィックスの割当要求を上記ＩＰｖ６アドレス管理装置に送信する工程と、
上記ＩＰｖ６アドレス管理装置が、上記ユーザ端末の上記ＩＰｖ６プレフィックスの属性情報を取得する工程と、
上記ＩＰｖ６アドレス管理装置が、上記ＩＰｖ６プレフィックスの属性情報を含んでいるＩＰｖ６プレフィックスの割当応答を上記ＮＤＰユーザ端末に返却する工程と、を含んでいることを特徴とする請求項５に記載のＩＰｖ６アドレスを取得する方法。
【請求項１０】
上記ユーザ端末は、ＰＰＰユーザ端末であって、
上記ＰＰＰユーザ端末が、ＩＰｖ６プレフィックスの割当要求を上記ＩＰｖ６アドレス管理装置に送信する工程と、
上記ＩＰｖ６アドレス管理装置が、上記ユーザ端末のＩＰｖ６プレフィックスの属性情報を取得する工程と、
上記ＩＰｖ６アドレス管理装置が、上記ＩＰｖ６プレフィックスの属性情報を含んでいるＩＰｖ６プレフィックスの割当応答を上記ＰＰＰユーザ端末に返却する工程と、
上記ＰＰＰユーザ端末が、ＩＰｖ６インターフェースＩＤの割当要求を上記ＩＰｖ６アドレス管理装置に送信する工程と、
上記ＩＰｖ６アドレス管理装置が、上記ユーザ端末のためのＩＰｖ６インターフェースＩＤを割り当てる工程と、
上記ＩＰｖ６アドレス管理装置が、上記ＩＰｖ６インターフェースＩＤを含んでいるＩＰｖ６インターフェースＩＤの割当応答を上記ＰＰＰユーザ端末に返却する工程と、を含んでいることを特徴とする請求項５に記載のＩＰｖ６アドレスを取得する方法。
【請求項１１】
上記ＩＰｖ６の上記属性情報は、プレフィックスのアドレス、長さ、推奨生存期間、有効生存期間、及び自動設定ラベルを含んでいることを特徴とする請求項９または１０に記載のＩＰｖ６アドレスを取得する方法。
【請求項１２】
上記ユーザ端末は、ＤＨＣＰユーザ端末、ＥＡＰユーザ端末、またはＬ２ＴＰユーザ端末であることを特徴とする請求項５に記載のＩＰｖ６アドレスを取得する方法。
【請求項１３】
上記ＩＰｖ６アドレス管理装置は、ブロードバンドリモートアクセスサーバ（ＢＲＡＳ）、またはネットワークサーバであることを特徴とする請求項５に記載のＩＰｖ６アドレスを取得する方法。
【請求項１４】
上記ＩＰｖ６アドレス管理装置は、ネットワークサーバであって、
ＢＲＡＳが、上記ユーザ端末と上記ネットワークサーバとの間の上記ＩＰｖ６アドレスの割当要求、及び上記ＩＰｖ６アドレスの割当応答を転送する工程をさらに含んでいることを特徴とする請求項５に記載のＩＰｖ６アドレスを取得する方法。
【請求項１５】
ユーザ端末とインターネットプロトコルバージョン６（ＩＰｖ６）アドレス管理装置とを備えたＩＰｖ６アドレス割当システムであって、
上記ユーザ端末は、ＩＰｖ６アドレスの割当要求を送信し、割り当てられたＩＰｖ６アドレスを、受信したＩＰｖ６アドレスの割当応答から取得し、
上記ＩＰｖ６アドレス管理装置は、上記ＩＰｖ６アドレスの割当要求を受信するとともに、上記ＩＰｖ６アドレスを割り当て、当該ＩＰｖ６アドレスを含んでいる上記ＩＰｖ６アドレスの割当応答を上記ユーザ端末に送信することを特徴とするＩＰｖ６アドレス割当システム。
【請求項１６】
上記ＩＰｖ６アドレス管理装置は、ネットワークサーバ、またはブロードバンドリモートアクセスサーバ（ＢＲＡＳ）であることを特徴とする請求項１５に記載のＩＰｖ６アドレス割当システム。
【請求項１７】
上記ＩＰｖ６アドレス管理装置は、ネットワークサーバであって、
上記ユーザ端末、及び上記ネットワークサーバの間で、上記ＩＰｖ６アドレスの割当要求、及び上記ＩＰｖ６アドレスの割当応答を転送するＢＲＡＳをさらに備えていることを特徴とする請求項１５に記載のＩＰｖ６アドレス割当システム。
【発明の詳細な説明】
【発明の詳細な説明】
【０００１】
〔本発明の分野〕
本発明は、ブロードバンドアクセス技術、特に、インターネットプロトコルバージョン６（ＩＰｖ６）アドレスを取得するための装置、方法、及びシステムに関する。
【０００２】
〔背景〕
インターネットの規模が日増しに拡大するにつれて、３２ビットであるＩＰＶ４アドレスのリソースは次第に不十分になってきている。この問題を一度で永遠に解決するために、インターネット技術タスクフォース（ＩＥＴＦ）はＩＰｖ６プロトコルにおいて１２８ビットであるＩＰｖ６アドレスを使用する提案を行った。
【０００３】
既存のプロトコルはＩＰｖ６アドレスを定義するのみであるが、ユーザ端末がＩＰｖ６アドレスを取得する具体的な方法を定義していない。従って、ユーザ端末がＩＰｖ６アドレスを取得する方法は制御及び管理の範囲外となり、このことが、セキュリティの脆弱性、例えば、偽のユーザ端末の脅威等を容易に招くことになる。
【０００４】
〔概要〕
本発明は、ＩＰｖ６アドレス取得装置、方法、及びシステムを提供する。
【０００５】
本発明の一様態に係るＩＰｖ６アドレス取得装置は、要求モジュール及び割当モジュールを備えている。上記要求モジュールは、ＩＰｖ６アドレスの割当要求を上記割当モジュールに送信し、上記割当モジュールから返却されたＩＰｖ６アドレスの割当応答からＩＰｖ６アドレスを取得する。割当モジュールは、ＩＰｖ６アドレスを割り当てるとともに、割り当てたＩＰｖ６アドレスを上記要求モジュールに返却するためのＩＰｖ６アドレスの割当応答に含めて搬送させる。
【０００６】
本発明の別の一様態に係るＩＰアドレス取得方法は、ユーザ端末がＩＰｖ６アドレスの割当要求をＩＰｖ６アドレス管理装置に送信する工程と、上記ＩＰｖ６アドレス管理装置が、上記ユーザ端末のためのＩＰｖ６アドレスを割り当てるとともに、割り当てたＩＰｖ６アドレスを含んでいるＩＰｖ６アドレスの割当応答を上記ユーザ端末に返却する工程とを含んでいる。
【０００７】
本発明の別の一様態に係るＩＰｖ６アドレス割当システムは、ユーザ端末とＩＰｖ６アドレス管理装置とを備えている。上記ユーザ端末は、ＩＰｖ６のアドレス割当要求を送信して、受信したＩＰｖ６アドレスの割当応答から割り当てられたＩＰｖ６アドレスを取得する。上記ＩＰｖ６アドレス管理装置は、上記ＩＰｖ６アドレスの割当要求を受信し、ＩＰｖ６アドレスを割り当てるとともに当該ＩＰｖ６アドレスを含んでいるＩＰｖ６アドレスの割当応答を上記ユーザ端末に送信する。
【０００８】
上記の技術的な解決法からわかるように、本発明に係るＩＰｖ６アドレス取得装置、方法、及びシステムにおいて、ブロードバンドリモートアクセスサーバ（ＢＲＡＳ）、またはネットワークサーバが効率的にＩＰｖ６アドレスの割当及び管理をできるように、ＩＰｖ６アドレスは、ＢＲＡＳ、またはネットワークサーバによりユーザ端末に一意に割り当てられる。これにより、ＩＰｖ６アドレスの一意性が保証されたまま、使用されるＩＰｖ６アドレスのセキュリティが改善し、インターネット上に偽のユーザ端末が現れる可能性が減少する。
【０００９】
〔詳細な説明〕
具体的な実施形態及び添付した図を用いて、本発明について詳細に説明する。
【００１０】
本発明の実施形態において、ＢＲＡＳまたはネットワークサーバは、使用されているＩＰｖ６アドレスのセキュリティを改善するために、ＩＰｖ６アドレスについて統一した計画及び管理を行い、ユーザ端末からの要求の応じてＩＰｖ６アドレスを供給する責任を担っている。次の説明において、ＩＰｖ６アドレスは、単に、ＩＰｖ６プレフィックスを指すものであってもよいし、ＩＰｖ６インターフェース識別子（ＩＤ）を指すものであってもよいし、あるいは、当該ＩＰｖ６プレフィックス、及びＩＰｖ６インターフェースＩＤの両方を含んでいてもよい。
【００１１】
ネットワークサーバは、リモート認証ダイヤルインユーザサービス（ＲＡＤＩＵＳ）サーバであってもよく、ターミナルアクセスコントローラアクセスコントロールシステム（ＴＡＣＡＣＳ）サーバであってもよく、あるいは、ダイナミックホスト設定プロトコル（ＤＨＣＰ）サーバ等であってもよい。
【００１２】
本発明の一実施形態において、ＢＲＡＳは、ＩＰｖ６アドレスについて統一した計画及び管理を行い、ユーザ端末からの要求の応じてＩＰｖ６アドレスを割り当てる責任を担っている。図１は、上記実施形態に従ってＩＰｖ６アドレスを取得する装置を示す構成図である。上記装置は、要求モジュール１０１、及び割当モジュール１０２を備えている。要求モジュールはユーザ端末に設けられ、割当モジュール１０２はＢＲＡＳに設けられている。要求モジュール１０１と割当モジュール１０２とは、インターネットを通じて相互にやりとりを行う。
【００１３】
要求モジュール１０１は、ＩＰｖ６アドレスの割当要求を上記割当モジュール１０２に送信し、割り当てられたＩＰｖ６アドレスを、当該割当モジュール１０２から返却されたＩＰｖ６アドレスの割当応答から取得する。
【００１４】
割当モジュール１０２は、設定ポリシーに従ってＩＰｖ６アドレスを決定し、ＩＰｖ６アドレスの割当応答を介して、割り当てたＩＰｖ６アドレスを要求モジュール１０１に通知する。
【００１５】
ＩＰｖ６アドレスがＩＰｖ６プレフィックスを指す場合、あらかじめ、各インターフェース、または各インターネットサービスプロバイダ（ＩＳＰ）のドメインについて、少なくとも１つのＩＰｖ６プレフィックスを設定することができる。従って、設定ポリシーに従ってＩＰｖ６プレフィックスを決定する方法は、ユーザ端末が属するインターフェース、またはＩＳＰのドメインを識別した後に、割当モジュール１０２が、当該割当モジュール１０２自身により設定されたインターフェース、またはＩＳＰのドメインのＩＰｖ６プレフィックスを取得する工程を含んでいる。割当モジュール１０２によってあらかじめ設定されるものは、プレフィックスのアドレス、長さ、推奨生存期間、有効生存期間、自動設定（Ｌ／Ａ）ラベル等といった、ＩＰｖ６プレフィックスの属性情報であってもよい。プレフィックスのアドレスは、ＩＰｖ６プレフィックスである。長さ、推奨生存期間、有効生存期間、Ｌ／Ａラベル等は、ＩＰｖ６プレフィックスの付加情報である。
【００１６】
ＩＰｖ６アドレスがＩＰｖ６インターフェースＩＤを指す場合、割当モジュール１０２が設定ポリシーに従ってＩＰｖ６インターフェースＩＤを決定する方法には、様々なものがある。例えば、割当モジュール１０２は、ユーザ端末が属するインターフェース、あるいはＩＳＰのドメインに基づいて、当該ユーザ端末のＩＰｖ６インターフェースＩＤを選択するか、または、乱数あるいは当該ユーザ端末のメディアアクセスコントロール（ＭＡＣ）アドレスを用いてＩＰｖ６インターフェースＩＤを生成する。実際の利用において、ＩＰｖ６インターフェースＩＤを決定するポリシーには柔軟性があり、これ以上の説明は行わない。
【００１７】
図２は、本発明の一実施形態に係るＩＰｖ６アドレス取得方法を示すフローチャートである。上記方法は、次の工程を含んでいる。
【００１８】
工程２０１：ユーザ端末の要求モジュール１０１が、ＩＰｖ６アドレスの割当要求をＢＲＡＳの割当モジュール１０２に送信する。
【００１９】
工程２０２：割当モジュール１０２は、要求モジュール１０１のためのＩＰｖ６アドレスを割り当てる。
【００２０】
この工程において、ＩＰｖ６アドレスはＩＰｖ６プレフィックスであり、割当モジュール１０２は、要求モジュール１０１を備えているユーザ端末が属するインターフェース、またはＩＳＰのドメインを識別する。そして、割当モジュール１０２は、割当モジュール１０２自身により、インターフェース、またはＩＳＰのドメインに設定されたＩＰｖ６プレフィックスの属性情報を検索する。
【００２１】
ＩＰｖ６アドレスがＩＰｖ６インターフェースＩＤである場合、要求モジュール１０１がＩＰｖ６インターフェースＩＤの取得を要求する前に、ＢＲＡＳは、一般的にユーザ端末の認証、及び当該ユーザ端末の情報（例えば、ユーザ名、ＭＡＣアドレス、当該ユーザ端末が属するインターフェース、またはＩＳＰのドメイン等）の記録を完了している。ＩＰｖ６インターフェースＩＤを割り当てるとき、ＢＲＡＳは、乱数、及びユーザ端末のＭＡＣアドレスの少なくともいずれかを用いてＩＰｖ６インターフェースＩＤを生成してもよいし、ユーザ端末が属するインターフェース、またはＩＳＰのドメインに基づいて、ユーザ端末のＩＰｖ６インターフェースＩＤを選択してもよい。
【００２２】
工程２０３：割当モジュール１０２は、ＩＰｖ６アドレスの割当応答を要求モジュール１０１に返却する。なお、ＩＰｖ６アドレスの割当応答は、割り当てられたＩＰｖ６アドレスを含んでいる。
【００２３】
本発明の別の一実施形態において、ネットワークサーバは、ＩＰｖ６アドレスについて統一した計画及び管理を行い、ユーザ端末からの要求の応じてＩＰｖ６アドレスを割り当てる責任を担っている。図３は、ＩＰｖ６アドレスを取得する本実施形態に係る装置を示す構成図である。当該装置は、要求モジュール３０１と割当モジュール３０２とを備えている。要求モジュール３０１はユーザ端末に設けられ、割当モジュール３０２はネットワークサーバに設けられている。要求モジュール３０１と割当モジュール３０２とは、インターネットを通じて相互にやりとりを行う。実際には、要求モジュール３０１と割当モジュール３０２とは、相互に対するやりとりを、ＢＲＡＳを介して行ってもよいし、ＢＲＡＳを用いずに行ってもよい。従って、図３にはＢＲＡＳを図示していない。
【００２４】
図４は、本発明の別の実施形態に係るＩＰｖ６アドレス取得方法を示すフローチャートである。当該方法は、以下の工程を含んでいる。
【００２５】
工程４０１：ユーザ端末の要求モジュール３０１が、ＩＰｖ６アドレスの割当要求をネットワークサーバの割当モジュール３０２に送信する。
【００２６】
この工程において、要求モジュール３０１が割当モジュール３０２に対して行うＩＰｖ６アドレスの割当要求の送信は、ＢＲＡＳを介して行ってもよいし、ＢＲＡＳを用いずに直接行ってもよい。本発明の一具体例において、ＩＰｖ６アドレスの割当要求がＢＲＡＳを介して送信されるとき、ＢＲＡＳは、要求を送信するユーザ端末に対して認証を行い、認証に成功した後に割当モジュール３０２に当該要求を送信してもよい。
【００２７】
工程４０２：割当モジュール３０２は、要求モジュール３０１のためのＩＰｖ６アドレスを割り当てる。この工程は、工程２０２と同様である。ＩＰｖ６アドレスがＩＰｖ６プレフィックスである場合、割当モジュール３０２は、要求モジュール３０２を備えているユーザ端末が属するインターフェース、またはＩＳＰのドメインに基づいて、ＩＰｖ６プレフィックスを決定する。ＩＰｖ６アドレスがＩＰｖ６インターフェースＩＤである場合、割当モジュール３０２は、乱数、及びユーザ端末のＭＡＣアドレスの少なくともいずれか一方を用いて、ＩＰｖ６インターフェースＩＤを生成する。
【００２８】
工程４０３：割当モジュール３０２は、ＩＰｖ６アドレスの割当応答を要求モジュール３０１に返却する。ＩＰｖ６アドレスの割当応答は、割り当てられたＩＰｖ６アドレスを含んでいる。
【００２９】
同じように、ＩＰｖ６アドレスの割当応答の要求モジュール３０１への返却も、ＢＲＡＳを介して行われてもよいし、ＢＲＡＳを用いずに直接行われてもよい。
【００３０】
図５は、本発明の別の実施形態に係るＩＰｖ６アドレス割当システムを示す構成図である。当該システムは、ユーザ端末５０１とＢＲＡＳ５０２とを備えている。
【００３１】
ユーザ端末５０１は、さらに、通常のユーザ端末が備える機能のほかに要求モジュールを備えている。要求モジュールは、ＩＰｖ６アドレスの割当要求を送信し、ＩＰｖ６アドレスの割当応答を受信し、当該応答から必要なＩＰｖ６アドレスを取得する。ＢＲＡＳ５０２は、ＩＰｖ６アドレスの割当要求に従ってＩＰｖ６アドレスを決定し、当該ＩＰｖ６アドレスを、ＩＰｖ６アドレスの割当応答を介してユーザ端末５０１に返却する。
【００３２】
本発明の一具体例において、上記システムは、さらに、ネットワークサーバ５０３を備えていてもよい。ネットワークサーバ５０３は、ＩＰｖ６アドレスの割当要求を受信し、ＩＰｖ６アドレスを割り当てる。このとき、ＢＲＡＳ５０２は、ＩＰｖ６アドレスの割当要求とＩＰｖ６アドレスの割当応答とをユーザ端末５０１とネットワークサーバ５０３との間で転送する。本発明の別の一具体例において、ユーザ端末５０１は、ＢＲＡＳ５０２を用いずに、ネットワークサーバ５０３と直接やりとりをしてもよい。
【００３３】
すなわち、ネットワークサーバ、及びＢＲＡＳのいずれかが、ＩＰｖ６アドレスについて統一した計画及び管理を行う機能を備えていてもよい。なお、ＩＰｖ６アドレスについて統一した計画及び管理を行う機能を備えた装置をＩＰｖ６アドレス管理装置と称することにする。
【００３４】
図５に示すＩＰｖ６アドレス割当システムにおいて、ＩＰｖ６アドレス管理装置によりインターフェース、またはＩＳＰのドメインに設定されたＩＰｖ６プレフィックスが変わる場合、ＩＰｖ６アドレス管理装置は、当該インターフェース、またはＩＳＰのドメインに属する全てのユーザ端末に対し、定期的にＩＰｖ６アドレスの割当応答を送信してもよい。ここで、ＩＰｖ６アドレスの割当応答は、ＩＰｖ６プレフィックスの変更された属性情報を含んでいる。ＩＰｖ６プレフィックスの変更は、現在設定されているＩＰｖ６プレフィックスの削除、または新しいＩＰｖ６プレフィックスの追加などを指す。さらに、ユーザ端末が、別のインターフェース、またはＩＳＰのドメインに切り替わる場合、ユーザ端末は、ＩＰｖ６アドレスの割当要求をＩＰｖ６アドレス管理装置に送信してもよい。
【００３５】
本発明の実施形態において、ＩＰｖ６アドレス管理装置は、異なるＩＳＰのドメインに属するユーザ端末に対し、異なるＩＰｖ６プレフィックスを割り当てるので、アドレスの衝突の可能性が減少する。同一のＩＳＰのドメインに属するすべてのユーザ端末は、同一のＩＰｖ６プレフィックスを使用する。従って、これらのユーザ端末のルーティングは、ＩＰｖ６プレフィックスを用いてひとつにまとめられて実行されてもよく、これにより、インターネットのルーティングの規模が縮小することになる。さらに、一度、ＩＳＰのドメインのＩＰｖ６プレフィックスが変更するか、または、ユーザ端末が別のＩＳＰのドメインに切り替わると、ユーザ端末は、すぐにＩＰｖ６アドレス管理装置から新しいＩＰｖ６プレフィックスを取得することができる。
【００３６】
本発明の実施形態は、近隣探索プロトコル（ＮＤＰ）ユーザ端末、ポイントツーポイントプロトコル（ＰＰＰ）ユーザ端末、ダイナミックホスト設定プロトコル（ＤＨＣＰ）ユーザ端末、拡張認証プロトコル（ＥＡＰ）ユーザ端末、またはレイヤー２トンネリングプロトコル（Ｌ２ＴＰ）ユーザ端末など、任意の種類のユーザ端末に適用可能である。
【００３７】
異なる種類のユーザ端末には、ＩＰｖ６アドレスを取得する上で、異なる必要事項がある。
【００３８】
例えば、ＮＤＰユーザ端末により使用されるＩＰｖ６アドレスのＩＰｖ６インターフェースＩＤは、ＮＤＰユーザ端末によりランダムに生成される。ＮＤＰユーザ端末は、ＩＰｖ６アドレス管理装置からＩＰｖ６プレフィックスを取得する必要がある。
【００３９】
例えば、ＰＰＰユーザ端末は、ＩＰｖ６アドレス管理装置からＩＰｖ６プレフィックス、及びＩＰｖ６インターフェースＩＤの両方を取得する必要があるが、ＩＰｖ６プレフィックス、及びＩＰｖ６インターフェースＩＤを、別々に取得する。
【００４０】
一具体例において、ＰＰＰユーザ端末は、ＩＰｖ６プレフィックスの割当要求とＩＰｖ６インターフェースＩＤの割当要求とをＩＰｖ６アドレス管理装置に送信してもよい。ＩＰｖ６アドレス管理装置は、２つの要求を受信したあと、ＩＰｖ６プレフィックス、及びＩＰｖ６インターフェースＩＤを別々に割り当てる。そして、ＩＰｖ６アドレス管理装置は、ＩＰｖ６プレフィックスの割当応答を介してＩＰｖ６プレフィックスを、ＩＰｖ６インターフェースＩＤの割当応答を介してＩＰｖ６インターフェースＩＤをＰＰＰユーザ端末に返却する。ここで、ＩＰｖ６プレフィックスの割当応答はＩＰｖ６プレフィックスの属性情報を含んでおり、ＩＰｖ６インターフェースＩＤの割当応答はＩＰｖ６インターフェースＩＤを含んでいる。
【００４１】
例えば、ＩＰｖ６をサポートするＤＨＣＰユーザ端末により使用されるＩＰｖ６アドレスのＩＰｖ６プレフィックス、及びＩＰｖ６インターフェースＩＤは、ＩＰｖ６アドレス管理装置からも取得される。一具体例において、ＤＨＣＰユーザ端末はＩＰｖ６アドレスの割当要求をＩＰｖ６アドレス管理装置に送信してもよい。ＩＰｖ６アドレス管理装置は、要求に従ってＩＰｖ６プレフィックス、及びＩＰｖ６インターフェースＩＤを割り当てるとともに、ＩＰｖ６アドレスの割当応答をＤＨＣＰユーザ端末に返却する。ここで、ＩＰｖ６アドレスの割当応答は、ＩＰｖ６プレフィックス、及びＩＰｖ６インターフェースＩＤの両方を含んでいる。
【００４２】
上記処理において、ＩＰｖ６アドレス管理装置は、割り当てられたＩＰｖ６アドレスが一意であることを保証すべきである。例えば、２つのユーザ端末は、同一のＩＰｖ６プレフィックスを有するときには、異なるＩＰｖ６インターフェースＩＤが割り当てられるべきである。これとは反対に、２つのユーザ端末が異なるＩＰｖ６プレフィックスを有するときには、ＩＰｖ６アドレス管理装置は、これらに同一のＩＰｖ６インターフェースＩＤを割り当ててもよい。
【００４３】
本書において記載されている好適な実施形態は、本発明を例示するものであり、本発明の保護範囲を制限するものではない。
【図面の簡単な説明】
【００４４】
【図１】本発明の一実施形態に係るＩＰｖ６アドレス取得装置を示す構成図である。
【図２】図１に示す装置を用いてＩＰｖ６アドレスを取得する方法を示すフローチャートである。
【図３】本発明の別の一実施形態に係るＩＰｖ６アドレス取得装置を示す構成図である。
【図４】図３に示す装置を用いてＩＰｖ６アドレスを取得する方法を示すフローチャートである。
【図５】本発明の一実施形態に係るＩＰｖ６アドレス割当システムを示す構成図である。
【図１】
2009529257.tif 000003
【図２】
2009529257.tif 000004
【図３】
2009529257.tif 000005
【図４】
2009529257.tif 000006
【図５】
2009529257.tif 000007
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
要求モジュールと割当モジュールとを備えたインターネットプロトコルバージョン６（ＩＰｖ６）アドレス取得装置であって、
上記要求モジュールは、ＩＰｖ６アドレスの割当要求を上記割当モジュールに送信するとともに、当該割当モジュールから返却されたＩＰｖ６アドレスの割当応答から、割り当てられたＩＰｖ６アドレスを取得し、
上記割当モジュールは、上記ＩＰｖ６アドレスの割当要求に従って上記ＩＰｖ６アドレスを割り当てるともに、上記割り当てられたＩＰｖ６アドレスを、上記要求モジュールに返却するための上記ＩＰｖ６アドレスの割当応答に含めて搬送させることを特徴するＩＰｖ６アドレス取得装置。
【請求項２】
上記要求モジュールがユーザ端末に設けられ、上記割当モジュールがブロードバンドリモートアクセスサーバ（ＢＲＡＳ）またはネットワークサーバに設けられていることを特徴とする請求項１に記載のＩＰｖ６アドレス取得装置。
【請求項３】
上記ネットワークサーバは、リモート認証ダイヤルインサービス（ＲＡＤＩＵＳ）サーバ、ターミナルアクセスコントローラアクセスコントロールシステム（ＴＡＣＡＣＳ）サーバ、またはダイナミックホスト設定プロトコル（ＤＨＣＰ）サーバであることを特徴とする請求項２に記載のＩＰｖ６アドレス取得装置。
【請求項４】
上記ユーザ端末は、近隣探索プロトコル（ＮＤＰ）ユーザ端末、ポイントツーポイントプロトコル（ＰＰＰ）ユーザ端末、ダイナミックホスト設定プロトコル（ＤＨＣＰ）ユーザ端末、拡張認証プロトコル（ＥＡＰ）ユーザ端末、またはレイヤー２トンネリングプロトコル（Ｌ２ＴＰ）ユーザ端末であることを特徴とする請求項２に記載のＩＰｖ６アドレス取得装置。
【請求項５】
インターネットプロトコルバージョン６（ＩＰｖ６）アドレスを取得する方法であって、
ユーザ端末から送信されたＩＰｖ６アドレスの割当要求を受信する工程と、
上記ＩＰｖ６アドレスの割当要求に従って、上記ユーザ端末のためのＩＰｖ６アドレスを割り当てる工程と、
割り当てられた上記ＩＰｖ６アドレスを含んでいるＩＰｖ６アドレスの割当応答を上記ユーザ端末に返却する工程と、を含んでいることを特徴とする方法。
【請求項６】
上記ＩＰｖ６アドレスはＩＰｖ６プレフィックスであって、
上記ユーザ端末のためのＩＰｖ６アドレスを割り当てる工程は、
あらかじめ、上記ＩＰｖ６プレフィックスの属性情報をインターフェース、またはインターネットサービスプロバイダ（ＩＳＰ）のドメインに設定する工程と、
上記ＩＰｖ６アドレスの割当要求を受信した後に、上記ユーザ端末が属する上記インターフェース、またはＩＳＰのドメインを識別する工程と、
上記インターフェース、またはＩＳＰのドメインに設定された、上記ＩＰｖ６プレフィックスの上記属性情報を取得する工程と、を含んでいることを特徴とする請求項５に記載のＩＰｖ６アドレスを取得する方法。
【請求項７】
上記インターフェース、またはＩＳＰのドメインに設定された上記ＩＰｖ６プレフィックスを更新する工程と、
上記更新された上記ＩＰｖ６プレフィックスを上記インターフェース、またはＩＳＰのドメインに属するユーザ端末に送信する工程と、を含んでいることを特徴とする請求項６に記載のＩＰｖ６アドレスを取得する方法。
【請求項８】
上記ＩＰｖ６アドレスは、ＩＰｖ６インターフェースＩＤであって、
上記ユーザ端末のためのＩＰｖ６アドレスを割り当てる工程は、
上記ユーザ端末が属するインターフェース、またはＩＳＰのドメインに基づいて、上記ユーザ端末のＩＰｖ６インターフェースＩＤを選択する工程、及び、乱数、もしくは上記ユーザ端末のメディアアクセスコントロール（ＭＡＣ）アドレスを用いてＩＰｖ６インターフェースＩＤを生成する工程のいずれかを含んでいることを特徴とする請求項５に記載のＩＰｖ６アドレスを取得する方法。
【請求項９】
上記ユーザ端末はＮＤＰユーザ端末であって、
上記ＮＤＰユーザ端末から送信されたＩＰｖ６プレフィックスの割当要求を受信する工程と、
上記ＩＰｖ６プレフィックスの割当要求に従って、上記ＮＤＰユーザ端末の上記ＩＰｖ６プレフィックスの属性情報を取得する工程と、
上記ＩＰｖ６プレフィックスの属性情報を含んでいるＩＰｖ６プレフィックスの割当応答を上記ＮＤＰユーザ端末に返却する工程と、を含んでいることを特徴とする請求項５に記載のＩＰｖ６アドレスを取得する方法。
【請求項１０】
上記ユーザ端末は、ＰＰＰユーザ端末であって、
上記ＰＰＰユーザ端末から送信されたＩＰｖ６プレフィックスの割当要求を受信する工程と、
上記ＩＰｖ６プレフィックスの割当要求に従って、上記ＰＰＰユーザ端末のＩＰｖ６プレフィックスの属性情報を取得する工程と、
上記ＩＰｖ６プレフィックスの属性情報を含んでいるＩＰｖ６プレフィックスの割当応答を上記ＰＰＰユーザ端末に返却する工程と、
上記ＰＰＰユーザ端末から送信されたＩＰｖ６インターフェースＩＤの割当要求を受信する工程と、
上記ＩＰｖ６プレフィックスの割当要求に従って、上記ＰＰＰユーザ端末のためのＩＰｖ６インターフェースＩＤを割り当てる工程と、
上記ＩＰｖ６インターフェースＩＤを含んでいるＩＰｖ６インターフェースＩＤの割当応答を上記ＰＰＰユーザ端末に返却する工程と、を含んでいることを特徴とする請求項５に記載のＩＰｖ６アドレスを取得する方法。
【請求項１１】
上記ＩＰｖ６の上記属性情報は、プレフィックスのアドレス、長さ、推奨生存期間、有効生存期間、及び自動設定ラベルを含んでいることを特徴とする請求項９または１０に記載のＩＰｖ６アドレスを取得する方法。
【請求項１２】
上記ユーザ端末は、ＤＨＣＰユーザ端末、ＥＡＰユーザ端末、またはＬ２ＴＰユーザ端末であることを特徴とする請求項５に記載のＩＰｖ６アドレスを取得する方法。
【請求項１３】
上記方法は、ＩＰｖ６アドレス管理装置が実行するものであり、
上記ＩＰｖ６アドレス管理装置は、ブロードバンドリモートアクセスサーバ（ＢＲＡＳ）、またはネットワークサーバであることを特徴とする請求項５に記載のＩＰｖ６アドレスを取得する方法。
【請求項１４】
上記ＩＰｖ６アドレス管理装置が上記ネットワークサーバであるときには、
ＢＲＡＳが、上記ユーザ端末と上記ネットワークサーバとの間の上記ＩＰｖ６アドレスの割当要求、及び上記ＩＰｖ６アドレスの割当応答を転送する工程をさらに含んでいることを特徴とする請求項１３に記載のＩＰｖ６アドレスを取得する方法。
【請求項１５】
ユーザ端末とインターネットプロトコルバージョン６（ＩＰｖ６）アドレス管理装置とを備えたＩＰｖ６アドレス割当システムであって、
上記ユーザ端末は、ＩＰｖ６アドレスの割当要求を送信し、割り当てられたＩＰｖ６アドレスを、受信したＩＰｖ６アドレスの割当応答から取得し、
上記ＩＰｖ６アドレス管理装置は、上記ＩＰｖ６アドレスの割当要求を受信するとともに、当該ＩＰｖ６アドレスの割当要求に従って上記ＩＰｖ６アドレスを割り当て、当該ＩＰｖ６アドレスを含んでいる上記ＩＰｖ６アドレスの割当応答を上記ユーザ端末に送信することを特徴とするＩＰｖ６アドレス割当システム。
【請求項１６】
上記ＩＰｖ６アドレス管理装置は、ネットワークサーバ、またはブロードバンドリモートアクセスサーバ（ＢＲＡＳ）であることを特徴とする請求項１５に記載のＩＰｖ６アドレス割当システム。
【請求項１７】
上記ＩＰｖ６アドレス管理装置は、ネットワークサーバであって、
上記ユーザ端末、及び上記ネットワークサーバの間で、上記ＩＰｖ６アドレスの割当要求、及び上記ＩＰｖ６アドレスの割当応答を転送するＢＲＡＳをさらに備えていることを特徴とする請求項１５に記載のＩＰｖ６アドレス割当システム。
【手続補正２】
【補正対象書類名】明細書
【補正対象項目名】０００５
【補正方法】変更
【補正の内容】
【０００５】
本発明の一様態に係るＩＰｖ６アドレス取得装置は、要求モジュール及び割当モジュールを備えている。上記要求モジュールは、ＩＰｖ６アドレスの割当要求を上記割当モジュールに送信し、上記割当モジュールから返却されたＩＰｖ６アドレスの割当応答からＩＰｖ６アドレスを取得する。割当モジュールは、当該ＩＰｖ６アドレスの割当要求に従ってＩＰｖ６アドレスを割り当てるとともに、割り当てたＩＰｖ６アドレスを上記要求モジュールに返却するためのＩＰｖ６アドレスの割当応答に含めて搬送させる。
【手続補正３】
【補正対象書類名】明細書
【補正対象項目名】０００６
【補正方法】変更
【補正の内容】
【０００６】
本発明の別の一様態に係るＩＰアドレス取得方法は、ユーザ端末から送信されたＩＰｖ６アドレスの割当要求を受信する工程と、当該ＩＰｖ６アドレスの割当要求に従って上記ユーザ端末のためのＩＰｖ６アドレスを割り当てる工程と、割り当てたＩＰｖ６アドレスを含んでいるＩＰｖ６アドレスの割当応答を上記ユーザ端末に返却する工程とを含んでいる。
【手続補正４】
【補正対象書類名】明細書
【補正対象項目名】０００７
【補正方法】変更
【補正の内容】
【０００７】
本発明の別の一様態に係るＩＰｖ６アドレス割当システムは、ユーザ端末とＩＰｖ６アドレス管理装置とを備えている。上記ユーザ端末は、ＩＰｖ６のアドレス割当要求を送信して、受信したＩＰｖ６アドレスの割当応答から割り当てられたＩＰｖ６アドレスを取得する。上記ＩＰｖ６アドレス管理装置は、上記ＩＰｖ６アドレスの割当要求を受信し、当該ＩＰｖ６アドレスの割当要求に従ってＩＰｖ６アドレスを割り当てるとともに当該ＩＰｖ６アドレスを含んでいるＩＰｖ６アドレスの割当応答を上記ユーザ端末に送信する。
【国際調査報告】
2009529257.tif 000008
2009529257.tif 000009
2009529257.tif 000010
2009529257.tif 000011